(57)【特許請求の範囲】
【請求項１】
人体検知センサを利用して使用者のトイレ入室を検知する第１段階と、
前記第１段階で使用者のトイレ入室が検知された際に、目標温度、便座温度及び時間設定を行い、現在の便座温度と目標温度との差値に基づいてヒータの勾配絶対値を演算してヒータの駆動時間を決定するとともに、前記人体検知センサが制御部の受信部にＩＲ命令を発信する段階と、使用者が便座に着座するかを判断するために、前記ＩＲ命令が伝送された際、制御部が予め設定された時間の間に前記ＩＲ命令の伝送時間をカウントする段階と、を行う第２段階と、
加熱されていない前記便座を加熱するように、前記第２段階で決定された駆動時間により前記ヒータを駆動させて前記便座を瞬間的に加熱する第３段階と、
前記第３段階で便座の瞬間的な加熱動作が行われた以後に、トイレ周辺温度に基づいて目標温度テーブルにより目標温度が再設定され、前記目標温度に到逹するまでにヒータを駆動させる第４段階と、
前記第４段階で便座温度が前記目標温度に到達した際に前記ヒータの駆動効率を制御しながら前記目標温度を一定に維持させる第５段階と、
を含んで行われることを特徴とする便座の温度制御方法。
【請求項２】
前記第３段階は前記演算された駆動時間分ヒータを１００％の効率に駆動制御し、前記第４段階は前記目標温度に到逹するまでにヒータを５０％の効率に駆動制御し、前記第５段階は前記ヒータを３０％の効率に駆動制御することを特徴とする請求項１に記載の便座の温度制御方法。
【請求項３】
前記予め設定された時間は３０秒〜６０秒の範囲内であることを特徴とする請求項１に記載の便座の温度制御方法。
【請求項４】
前記第５段階は、
使用者の着座が検知されない場合、制御部が予め設定された時間の間に着座が検知されない時間をカウントする段階と、
カウント情報が予め設定された時間を越えた際にヒータ駆動を中止させた後に待機状態に転換させる段階と、
をさらに含んで行われることを特徴とする請求項１に記載の便座の温度制御方法。
【発明の詳細な説明】
【技術分野】
【０００１】
本発明は、ビデに関し、より詳しくは、待機状態では低い温度を維持し、人体を検知した状態になると瞬間的に便座を加熱し、待機状態での消費電力使用による無駄なエネルギー消耗を低減し、特に便座使用のための人体検知状態では便座温度を短時間で上げて便座着座時に感じる冷たさによる不快感を無くすビデの便座温度制御装置及びその方法に関する。
【背景技術】
【０００２】
一般的に、ビデ（Ｂｉｄｅｔ）は洗浄便座を称するもので、ホテルや旅館などの宿泊業者は勿論、一般家庭内の排便設備である座便器に設けられ、このようなビデは用便後に適正水圧の洗浄水により肛門やその周辺を洗浄することでティッシュを使用せず後始末することができる一種の衛生設備である。
【０００３】
このようなビデは、洗浄水を所定温度に加熱及び保存する温水タンクと、前記温水タンクから洗浄水を供給して使用者の肛門や局部を洗浄する洗浄ノズルと、前記洗浄ノズルを前後に動作させるための駆動装置と、などを含んで構成されている。
【０００４】
しかしながら、従来におけるビデの場合、便座の暖房機能のためのヒータを提供しているものの、前記ヒータは使用者が便座に着座した際の温度と、待機状態での温度と、が同一であるため、待機状態での消費電力使用によって無駄なエネルギーが消耗されるという問題点があった。
【先行技術文献】
【特許文献】
【０００５】
【特許文献１】大韓民国特許出願公開第２０１２／００３１８２３号明細書
【特許文献２】大韓民国特許出願公開第２０１２／００３３７９４号明細書
【発明の概要】
【発明が解決しようとする課題】
【０００６】
そこで、本発明は、上記のような従来の問題点を解決するためのものであり、待機状態では低い温度を維持し、人体検知状態では瞬間的に便座を加熱するように構成されることで、待機状態での消費電力使用による無駄なエネルギー消耗を低減し、特に便座使用のための人体検知状態では便座の温度を短時間で上げて便座着座時に感じる冷たさによる不快感を無くすビデの便座温度制御装置及びその方法を提供することが目的である。
【課題を解決するための手段】
【０００７】
前記目的を達成するための便座の温度制御装置は、本体と、前記本体に結合されてヒータを内蔵する便座と、前記便座内に備えて人体の着座有無を検知する人体検知センサと、周辺温度によって便座の加熱温度領域を差等設定し、前記人体検知センサから人体の着座検知信号が出力される際に、前記差等設定された便座の加熱温度領域を基準として前記ヒータの加熱動作効率を差等制御する制御部と、を含む。
【０００８】
ここで、前記制御部は、前記本体に設けられて前記人体検知センサの着座検知信号を受信する受信部をさらに含んで構成することが好ましい。
【０００９】
一方、前記目的を達成するための便座の温度制御方法は、人体検知または便座着座有無を検知する第１段階と、前記第１段階で人体検知または着座が検知時の目標温度、便座温度及び時間設定を行い、現在の便座温度と目標温度との差値に基づいてヒータの勾配絶対値を演算してヒータの駆動時間を決定する第２段階と、前記第２段階で決定された駆動時間によって前記ヒータを駆動させて前記便座を瞬間的に加熱する第３段階と、前記第３段階で便座の瞬間的な加熱動作が行われた以後に、トイレ周辺温度に基づいて目標温度テーブルによって目標温度が再設定され、前記目標温度に到逹するまでにヒータを駆動させる第４段階と、前記第４段階で便座温度が前記目標温度に到達する際に前記ヒータの駆動効率を制御しながら前記目標温度を一定に維持させる第５段階と、を含んで行われる。
【００１０】
ここで、前記第３段階は前記演算された駆動時間分ヒータを１００％の効率に駆動制御し、前記第４段階は前記目標温度に到逹するまでにヒータを５０％の効率に駆動制御し、前記第５段階は前記ヒータを３０％の効率に駆動制御する。
【００１１】
そして、前記第２段階は、人体検知センサを利用して使用者のトイレ入室有無を検知して判断する段階と、前記人体検知センサが使用者の入室を検知した際、前記人体検知センサが制御部の受信部にＩＲ命令を発信する段階と、前記ＩＲ命令が伝送された際に制御部が予め設定された時間の間に前記ＩＲ命令の伝送時間をカウントして係数化する段階と、を含むことができる。
【００１２】
また、前記予め設定された時間は、３０秒〜６０秒の範囲内であることが好ましい。
【００１３】
また、前記第５段階は、使用者の着座が検知されない場合、前記制御部が予め設定された時間の間に着座が検知されない時間をカウントする段階と、前記カウント情報が予め設定された時間を超え、ヒータ駆動が中止された後に待機状態に転換する段階と、をさらに含むことができる。
【発明の効果】
【００１４】
以上で説明したように本発明によれば、待機状態では便座の温度を低く維持し、人体検知状態では瞬間的に便座を加熱することで、待機状態での消費電力使用による無駄なエネルギーの低減が期待できる。
【００１５】
また、便座使用時の人体検知状態では使用してない状態から瞬間的に便座の温度が上昇できるようにヒータを加熱することで、使用者が便座に着座時に感じる冷たさによる不快感を無くす効果を期待することができる。
【図面の簡単な説明】
【００１６】
【図１】本発明のビデの便座温度制御装置を示す図である。
【図２】本発明のビデの便座温度制御方法の各段階を順に示す図である。
【図３】図２による人体検知センサの動作手順を示す図である。
【発明を実施するための形態】
【００１７】
以下では添付図面を参照しながら、本発明の好適な実施の形態について詳細に説明する。
【００１８】
本発明の説明において定義される用語は本発明の機能を考慮して定義したものであって、本発明の技術的構成要素を限定する意味として理解してはならない。
【００１９】
図１に示すように、本発明の実施の形態によるビデの便座温度制御装置は、ビデ１００の本体１１０と、前記本体１１０に備えられ、ヒータ（図示せず）の駆動により瞬間的に暖房となる便座１２０と、前記便座１２０に備えられて人体の着座有無を検知する人体検知センサ２００、そして前記人体検知センサ２００から着座検知信号が印加され、周辺温度に応じて温度領域を差等設定してトイレの周辺温度に応じてヒータ駆動効率を差等制御する制御部（図示せず）と、を含むことを特徴とする。
【００２０】
前記制御部には、前記本体１１０に設けられて前記人体検知センサ２００の着座検知信号を受信する受信部３００が備えられることが好ましい。
【００２１】
前記受信部３００は、本体１１０の前面に設けられているように示したが、その位置に限定されず、その設置位置を多様に変更することができる。
【００２２】
前記人体検知センサ２００は、便座１２０に設けられた圧力センサ及び磁気ホールセンサを使用するか、便座１２０または本体１１０に設けられて光を利用して使用者が便座１２０への着座有無によって発生する光の通過可否をチェックし、前記便座１２０への着座有無を検知する光センサなどを使用することができる。
【００２３】
一方、前記目的を達成するための便座の温度制御方法を次に説明するが、上記と同一構成については重複説明を省略する。
【００２４】
まず、第１段階（Ｓ１００）は、圧力センサ及び磁気ホールセンサ、または光センサなどからなる人体検知センサ２００を利用して使用者の検知可否または便座１２０に使用者が着座したか否かを検知する。
【００２５】
次に、第２段階（Ｓ２００）は、人体検知または着座検知した場合、目標温度、便座１２０の温度及び時間設定を行い、現在便座１２０の温度と目標温度との差値に基づいてヒータの勾配絶対値を演算し、前記ヒータの駆動時間を決定する。
【００２６】
また、前記第２段階（Ｓ２００）では、人体検知センサ２００を利用して使用者のトイレ入室有無を検知して判断する段階（Ｓ２１０）、そして前記人体検知センサ２００によりトイレに使用者入室が検知された場合、前記人体検知センサ２００が制御部の受信部３００にＩＲ（Ｉｎｓｔｒｕｃｔｉｏｎ Ｒｅｇｉｓｔｅｒ）命令を発信する段階（Ｓ２２０）と、前記ＩＲ命令が前記制御部の受信部３００に伝送された場合、前記制御部が予め設定された時間の間に前記ＩＲ命令の伝送時間をカウントして係数化する段階（Ｓ２３０）と、をさらに含むことができる。
【００２７】
ここで、前記予め設定する時間は、３０秒〜６０秒の範囲内であり、好ましくは６０秒に一定にした方がよいが、前記予め設定する時間は必要に応じて３０〜６０秒の範囲外とするなど多様に変更設定することができる。
【００２８】
次に、第３段階（Ｓ３００）は、第２段階（Ｓ２００）で決定された駆動時間によって前記ヒータを駆動させて前記便座１２０を瞬間的に加熱してその表面温度が高くなるようにする。
【００２９】
このとき、前記第３段階（Ｓ３００）では、前記演算された駆動時間分にヒータの駆動効率を１００％に制御して前記便座１２０に対する瞬間的な加熱が短い時間内で迅速に行われるようにしたものであり、前記第４段階（Ｓ４００で）は、前記目標温度に到逹するまでにヒータの駆動効率を５０％に制御して前記便座１２０に対する加熱が徐々に行われるようにしたものであり、前記第５段階（Ｓ５００）では前記ヒータ駆動効率を３０％に制御して前記便座１２０の表面温度が目標温度に到達した状態でその目標温度を一定に維持できるようにする。
【００３０】
次に、第４段階（Ｓ４００）は、第３段階（Ｓ３００）で便座１２０の瞬間的な加熱動作が行われた後に、トイレ周辺温度に基づいて目標温度テーブルにより目標温度が再設定され、前記目標温度に到逹するまでヒータを駆動させるようにする。
【００３１】
最終的に、第５段階（Ｓ５００）は、第４段階Ｓ４００で便座１２０の温度が前記目標温度に到逹した場合、前記ヒータの駆動効率（例；３０％）を制御して前記目標温度を一定に維持できるようにする。
【００３２】
ここで、前記第５段階（Ｓ５００）は、便座１２０に使用者が着座しないためその着座状態が検知されない場合、前記予め設定された時間の間に着座が検知されない時間をカウントする段階（Ｓ５１０）、そして前記着座が検知されないカウント情報が予め設定された時間を超えたとき、前記制御部がヒータの駆動を中止させた後にヒータの駆動を待機状態に転換させる段階（Ｓ５２０）をさらに含むことができる。
【００３３】
その他に、前記便座１２０の温度が１５℃以下に下がらないように周辺温度が１５℃以下の使用空間では、前記便座１２０の使用前に前記ヒータの予備加熱を開始させて適正温度及び時間に比例する勾配の制御条件に、前記温度及び時間のうちのいずれか１つの制御条件を満足するか、または前記温度及び時間を含む２つの制御条件をすべて満足したとき、前記ヒータの駆動及びその駆動による効率を制御することができる。
【００３４】
以上から本発明によるビデの便座温度制御装置及びその方法についての技術思想を添付図面とともに記載したが、これは本発明の最も好適な実施例を例示的に説明したものであって本発明を限定するものではない。
【００３５】
したがって、本発明の属する技術の分野における通常の知識を有する者であれば、特許請求の範囲に記載された技術的思想の範疇内において、各種の変更例または修正例に想到し得ることは明らかであり、このような変形及び模倣は本発明の技術思想の範囲に含まれる。
【符号の説明】
【００３６】
１００  ビデ
１１０  本体
１２０  便座
１３０  操作部
２００  人体検知センサ
３００  受信部
【図１】
0005721665.tif 000002
【図２】
0005721665.tif 000003
【図３】
0005721665.tif 000004